(57)【要約】【課題】面倒なネジ止め作業をすることなく、簡単な作業でリムを確実に連結することができるリムロック眼鏡およびその製造方法を提供すること。【解決手段】レンズＬを抱持するリム１が合接／分離可能に連結されて構成されるリムロック式の眼鏡において、前記リム１が合接されるべきロック端部１１Ａ・１１Ｂにロック片２Ａ・２Ｂを固定する一方、これらロック片２Ａ・２Ｂの対向側縁部には中広の欠込部２１Ａ・２１Ｂがそれぞれ形成されており、前記ロック片２Ａ・２Ｂが合接したとき、これら欠込部２１Ａ・２１Ｂが連結して異形長孔２１が形成されるとともに、この異形長孔２１において同孔と略同一断面形状を有するジョイント部材３が嵌入することによって前記ロック片２Ａ・２Ｂが合接されてレンズＬを止着固定できるようにするという技術的手段を採用してリムロック眼鏡を完成させた。【選択図】  図１
2004294794.tif 000002
【特許請求の範囲】
【請求項１】
レンズＬを抱持するリム１が合接／分離可能に連結されて構成されるリムロック式の眼鏡において、
前記リム１が合接されるべきロック端部１１Ａ・１１Ｂにロック片２Ａ・２Ｂを固定する一方、これらロック片２Ａ・２Ｂの対向側縁部には中広の欠込部２１Ａ・２１Ｂがそれぞれ形成されており、前記ロック片２Ａ・２Ｂが合接したとき、これら欠込部２１Ａ・２１Ｂが連結して異形長孔２１が形成されるとともに、この異形長孔２１において同孔と略同一断面形状を有するジョイント部材３が嵌入することによって前記ロック片２Ａ・２Ｂが合接されてレンズＬを止着固定できることを特徴とするリムロック眼鏡。
【請求項２】
レンズＬを抱持するリム１が合接／分離可能に連結されて構成されるリムロック式の眼鏡において、
前記リム１が合接されるべきロック端部１１Ａ・１１Ｂにロック機構が一体成形される一方、このロック機構の対向側縁部には中広の欠込部がそれぞれ形成されており、前記ロック機構が合接したとき、これら欠込部が連結して異形長孔が形成されるとともに、この異形長孔において同孔と略同一断面形状を有するジョイント部材３が嵌入することによって前記ロック機構が合接されてレンズＬを止着固定できることを特徴とするリムロック眼鏡。
【請求項３】
ロック片２Ａ・２ＢがブリッジＢおよび／またはエンドピースＥに一体に成形されていることを特徴とする請求項１または２記載のリムロック眼鏡。
【請求項４】
ジョイント部材３の少なくとも一端にフランジ３１が形成されており、異形長孔２１の縁部に係止して止着可能であることを特徴とする請求項１〜３の何れか一つに記載のリムロック眼鏡。
【請求項５】
ジョイント部材３が熱可塑性樹脂で作製されており、熱圧着により端部にフランジ３１が形成されていることを特徴とする請求項１〜４の何れか一つに記載のリムロック眼鏡。
【請求項６】
ロック片２の異形長孔２１およびジョイント部材３の断面形状がダルマ型であることを特徴とする請求項１〜５の何れか一つに記載のリムロック眼鏡。
【請求項７】
少なくとも複数の通孔２２を穿設したロック片基材２をリム１の外周縁部に固定する一方、通孔２２・２２の間においてこれら両孔の内周面の少なくとも一部が開口するようにして前記リム１共々切断することによってロック端１１Ａ・１１Ｂおよび中広の欠込部２１Ａ・２１Ｂを有するロック片２Ａ・２Ｂを形成
し、
これらロック片２Ａ・２Ｂを合接すると、これら欠込部２１Ａ・２１Ｂが連結して異形長孔２１を形成するとともに、この異形長孔２１において、同孔と略同一断面形状を有するジョイント部材３を嵌入可能にしてレンズＬを止着固定できるようにすることを特徴とするリムロック眼鏡の製造方法。
【請求項８】
少なくとも複数の通孔をリム１に穿設する一方、通孔の間においてこれら両孔の内周面の少なくとも一部が開口するようにして前記リム１を切断することによってロック端１１Ａ・１１Ｂおよび中広の欠込部を有するロック機構を形成し、
これらロック機構を合接すると、これら欠込部が連結して異形長孔を形成するとともに、この異形長孔において、同孔と略同一断面形状を有するジョイント部材３を嵌入可能にしてレンズＬを止着固定できるようにすることを特徴とするリムロック眼鏡の製造方法。
【請求項９】
熱可塑性樹脂で作製したジョイント部材３を用いて、このジョイント部材３を異形長孔２１に嵌入せしめた後、端部を熱圧着による塑性変形によりフランジ３１を形成して固定することを特徴とする請求項７または８記載のリムロック眼鏡の製造方法。
【請求項１０】
通孔の間を切断して中広の欠込部を形成するにあたり、通孔を略円形に穿孔するとともに、通孔の円周を半分以内にして切断することによって、前記欠込部を合接したときに、ダルマ型の異形長孔が形成されるようにすることを特徴とする請求項７〜９の何れか一つに記載のリムロック眼鏡の製造方法。
【発明の詳細な説明】
【０００１】
【発明の属する技術分野】
本発明は、リムロック眼鏡の改良、更に詳しくは、面倒なネジ止め作業をすることなく、簡単な作業でリムを確実に連結することができるリムロック眼鏡およびその製造方法に関するものである。
【０００２】
【従来の技術】
眼鏡には、多種多様の形状のフレームに対するデザインが為され、消費者のニーズに応じているが、何と言っても好評なのはオーソドックスなフルリム眼鏡であり、安定した顧客層を獲得している。
【０００３】
ところで、このようなフルリム眼鏡にあっては、従来、レンズをリムに抱持するためにリムの周縁を上下に分断してブロー智（ち）を固着し、レンズを嵌合して前記ブロー智をネジによって止着固定する、所謂リムロック機構が採用されている（例えば、特許文献１参照）。
【０００４】
しかしながら、ネジによってリムを固定するものは、ネジが微細なために作業が面倒である上に、ネジが緩んでレンズが外れたり、また、締める力が強すぎるとリムが破断したり、レンズを破損するおそれがあった。
【０００５】
【特許文献１】
特開平１０−１７０８７２号公報  （第２−３頁、第１−４図）
【０００６】
【発明が解決しようとする課題】
本発明は、従来のリムロック眼鏡に上記欠点があったことに鑑みて為されたものであり、その目的とするところは、面倒なネジ止め作業をすることなく、簡単な作業でリムを確実に連結することができるリムロック眼鏡およびその製造方法を提供することにある。
【０００７】
【課題を解決するための手段】
本発明者が上記課題を解決するために採用した手段を添付図面を参照して説明すれば次のとおりである。
【０００８】
即ち、本発明は、レンズＬを抱持するリム１が合接／分離可能に連結されて構成されるリムロック式の眼鏡において、
前記リム１が合接されるべきロック端部１１Ａ・１１Ｂにロック片２Ａ・２Ｂを固定する一方、これらロック片２Ａ・２Ｂの対向側縁部には中広の欠込部２１Ａ・２１Ｂがそれぞれ形成されており、前記ロック片２Ａ・２Ｂが合接したとき、これら欠込部２１Ａ・２１Ｂが連結して異形長孔２１が形成されるとともに、この異形長孔２１において同孔と略同一断面形状を有するジョイント部材３が嵌入することによって前記ロック片２Ａ・２Ｂが合接されてレンズＬを止着固定できるようにするという技術的手段を採用してリムロック眼鏡を完成させた。
【０００９】
また、本発明は、レンズＬを抱持するリム１が合接／分離可能に連結されて構成されるリムロック式の眼鏡において、
前記リム１が合接されるべきロック端部１１Ａ・１１Ｂにロック機構が一体形成される一方、このロック機構の対向側縁部には中広の欠込部がそれぞれ形成されており、前記ロック機構が合接したとき、これら欠込部が連結して異形長孔が形成されるとともに、この異形長孔において同孔と略同一断面形状を有するジョイント部材３が嵌入することによって前記ロック機構が合接されてレンズＬを止着固定できるようにするという技術的手段を採用した。
【００１０】
また、本発明は、上記課題を解決するために、必要に応じて上記手段に加え、ロック片２Ａ・２ＢをブリッジＢおよび／またはエンドピースＥに一体に成形するという技術的手段を採用した。
【００１１】
また、本発明は、上記課題を解決するために、必要に応じて上記手段に加え、ジョイント部材３の少なくとも一端にフランジ３１が形成されており、異形長孔２１の縁部に係止して止着可能にするという技術的手段を採用した。
【００１２】
更にまた、本発明は、上記課題を解決するために、必要に応じて上記手段に加え、ジョイント部材３が熱可塑性樹脂で作製されており、熱圧着により端部にフランジ３１を形成するという技術的手段を採用した。
【００１３】
更にまた、本発明は、上記課題を解決するために、必要に応じて上記手段に加え、ロック片２の異形長孔２１およびジョイント部材３の断面形状をダルマ型にするという技術的手段を採用した。
【００１４】
また、本発明は、少なくとも複数の通孔２２を穿設したロック片基材２をリム１の外周縁部に固定する一方、通孔２２・２２の間においてこれら両孔の内周面の少なくとも一部が開口するようにして前記リム１共々切断することによってロック端１１Ａ・１１Ｂおよび中広の欠込部２１Ａ・２１Ｂを有するロック片２Ａ・２Ｂを形成
し、
これらロック片２Ａ・２Ｂを合接すると、これら欠込部２１Ａ・２１Ｂが連結して異形長孔２１を形成するとともに、この異形長孔２１において、同孔と略同一断面形状を有するジョイント部材３を嵌入可能にしてレンズＬを止着固定できるようにするという技術的手段を採用してリムロック眼鏡の製造方法を完成させた。
【００１５】
また、本発明は、少なくとも複数の通孔をリム１の外周縁部に穿設する一方、通孔の間においてこれら両孔の内周面の少なくとも一部が開口するようにして前記リム１を切断することによってロック端１１Ａ・１１Ｂおよび中広の欠込部を有するロック機構を形成し、
これらロック機構を合接すると、これら欠込部が連結して異形長孔を形成するとともに、この異形長孔において、同孔と略同一断面形状を有するジョイント部材３を嵌入可能にしてレンズＬを止着固定できるようにするという技術的手段を採用した。
【００１６】
更にまた、本発明は、上記課題を解決するために、必要に応じて上記手段に加え、熱可塑性樹脂で作製したジョイント部材３を用いて、このジョイント部材３を異形長孔２１に嵌入せしめた後、端部を熱圧着による塑性変形によりフランジ３１を形成して固定するという技術的手段を採用した。
【００１７】
更にまた、本発明は、上記課題を解決するために、必要に応じて上記手段に加え、通孔の間を切断して中広の欠込部を形成するにあたり、通孔を略円形に穿孔するとともに、通孔の円周を半分以内にして切断することによって、前記欠込部を合接したときに、ダルマ型の異形長孔が形成されるようにするという技術的手段を採用した。
【００１８】
【発明の実施の形態】
本発明の実施形態を具体的に図示した図面に基いて更に詳細に説明すると次のとおりである。
【００１９】
本発明の実施形態について図１〜図６に基いて説明する。なお、本実施形態の眼鏡は、一対のレンズＬ・Ｌを各々抱持するリム１・１と、これらリム１・１を左右対称に連結するブリッジＢと、これらリム１・１の対向内側に各々設けられた鼻当パッドＮ・Ｎと、これらリム１・１の各外側から持出形成されたエンドピースＥ・Ｅと、これらエンドピースＥ・Ｅの持出側の端部に折畳自在にヒンジ連結されたテンプルＴ・Ｔとから構成される（図１参照）。
【００２０】
図中、符号１で指示するものはリムであり、このリム１は、上下に分断してロック端部１１Ａ・１１Ｂを形成している。また、符号２Ａ・２Ｂで指示するものはロック片であり、これらロック片２Ａ・２Ｂは、対向側縁部にそれぞれ中広の欠込部２１Ａ・２１Ｂが入江状に形成されており、互いに接合させて結合することにより一つの異形長孔２１（本実施形態ではダルマ型）を形成する。
【００２１】
また、符号３で指示するものはジョイント部材であり、このジョイント部材３は、前記異形長孔２１と同一断面形状に形成された連結部材である。
【００２２】
しかして、本実施形態におけるリムロック眼鏡の構成は、前記ロック片２Ａ・２Ｂが接合されることにより、中広の欠込部部２１Ａ・２１Ｂが突き合せに合接して異形長孔２１が形成され（図２参照）、この異形長孔２１がジョイント部材３の外周側面に係合し、嵌入されることによって、ロック端部１１Ａ・１１Ｂおよびロック片２Ａ・２Ｂが連結するものである（図３参照）。
【００２３】
また、必要に応じて、ジョイント部材３の端部にフランジ３１を形成することにより（図４参照）、ジョイント部材３を確実に固定してリムを連結することが可能であり、長期間使用した場合でも、リムがガタついたりレンズが外れたりするおそれがなく極めて耐久性が高い。
【００２４】
更に、前記ジョイント部材３を熱可塑性樹脂（アクリル樹脂）で作製し、両端部が余分に突出するようにし、異形長孔２１に嵌入した状態で、当該両端部を熱圧着することにより塑性変形してフランジ３１を形成し、このフランジ３１を異形長孔２１の縁部に係止することもできる。
【００２５】
本実施形態の変形例として、図５に示すように、少なくとも複数の通孔をリム１の外周縁部に穿設する一方、通孔の間においてこれら両孔の内周面の少なくとも一部が開口するようにして前記リム１を切断することによってロック端１１Ａ・１１Ｂおよび中広の欠込部を有するロック機構を形成し、
これらロック機構を合接すると、これら欠込部が連結して異形長孔を形成するとともに、この異形長孔において、同孔と略同一断面形状を有するジョイント部材３を嵌入可能にしてレンズＬを止着固定できるようにすることもできる。
【００２６】
更にまた、本実施形態では、ロック片２Ａ・２ＢをブリッジＢおよび／またはエンドピースＥ（図６に示すものは、エンドピースＥ）に一体に成形することも可能である。
【００２７】
次に、本実施形態のリムロック眼鏡を製造する具体的手順を、図７〜図１２に基いて以下に説明する。
【００２８】
まず、図７に示すように、環状のリム１を作製する。本実施形態では、このリム１を金属薄板（例えば、チタン合金）を打ち抜いて作製する。この際、後の工程においてロック片基材２と共に切断するので、この切断分を考慮して作製することが好ましい。なお、リム１を長手の金属板体を折曲成形して作成することもできる。
【００２９】
次に、リム１の外周縁部において、ロック片基材２（サイズは、例えば、縦２．５ｍｍ、横１．３ｍｍ、厚さ３．０ｍｍ程度）を固着（本実施形態ではロウ付け）する（図８参照）。この際、このロック片基材２には、二つの通孔２２（直径０．８ｍｍ）が所要間隔（０．４ｍｍ）をもって穿設されている。
【００３０】
そして、図９に示すように、リム１およびロック片基材２において、ＸＹ間を切断する。本実施形態では、ＸＹの間隔を両通孔間２２・２２よりも少し広く（０．５ｍｍ）して、通孔２２・２２それぞれの対向側面を０．０５ｍｍづつ欠き込むようにする。この際、通孔２２・２２の外周を半分以上残して当該孔の側面を開口する位置にしておくことにより、異形の長孔が形成されるのである。
【００３１】
こうして、図１０に示すように、分断したリム１のロック端部１１Ａ・１１Ｂの側縁部にロック片２Ａ・２Ｂが形成される一方、これらロック片２Ａ・２Ｂの対向側縁部に中広の欠込部２１Ａ・２１Ｂが入江状に形成されることになる。然る後、リム１の内周面にレンズＬが嵌合可能な凹溝１２を切削形成し、リム１を保持すべきレンズＬの周縁形態に合わせて曲げ加工を施すことができる。
【００３２】
然る後、図１１に示すように、リム１の内縁にレンズＬを充行った状態で、ロック端部１１Ａ・１１Ｂおよびロック片２Ａ・２Ｂを接合して、欠込部２１Ａ・２１Ｂを連結して異形長孔２１を形成し、同孔と同一断面形状のジョイント部材３を嵌入することにより、リム１を連結することもできる。
【００３３】
なお、ジョイント部材３をアクリル樹脂材料で作製し、このジョイント部材３の厚さを５．０ｍｍ程度として、異形長孔２１に嵌入するジョイント部材３の端部が同孔内から余分に（各１．０ｍｍ）突出するようにし、異形長孔２１に嵌入した状態で、当該両端部を熱圧着することによってフランジ３１を形成し、このフランジ３１が異形長孔２１の縁部を係止して止着することができる（図１２参照）。
【００３４】
本発明は概ね上記のように構成されるが、本発明は図示の実施形態に限定されるものでは決してなく、「特許請求の範囲」の記載内において種々の変更が可能であって、例えば、ロック片２に開設する通孔２２の形状は円形に限定されるものではなく、異形断面を形成してジョイント部材３を係止できるものであれば、ダルマ型に限らず形状を変更しても良い。また、ロック片２に四つの通孔２２を開設して、異形長孔２１を二箇所作製しても良い。
【００３５】
また、リム１の使用材料はチタン合金以外にも、ニッケル合金、洋白、モネルなど従来眼鏡部品材料として使用される金属を用いることもでき、また、ジョイント部材３についてもアクリル樹脂材料に限らず、ポリエチレン樹脂、ポリスチレン樹脂、ポリカボネート樹脂などの他の熱可塑性樹脂、或いは金属材料で作製しても良く、何れのものも本発明の技術的範囲に属する。
【００３６】
【発明の効果】
以上、実施形態を挙げて説明したとおり、本発明を適用して得られるリムロック眼鏡は、中広の欠込部を突き合せに合接して異形長孔を形成し、この異形長孔にジョイント部材を嵌入するのみの簡単な作業でリムを連結可能に構成したことにより、レンズ止着のために面倒なネジ止め作業を行わなくても良い。
【００３７】
また、方法発明にあっては、リムと当該外周縁部に固着したロック片基材とを同時に切断するだけでリムの端部にロック片を形成することができるので、作業が極めて単純であることから、生産性を大幅に向上させ、眼鏡枠製造の合理化に大きく貢献できる。
【図面の簡単な説明】
【図１】本実施形態のリムロック眼鏡の全体斜視図である。
【図２】本実施形態の構造を表わす部分分解斜視図である。
【図３】本実施形態においてリムを連結した状態を表わす部分斜視図である。
【図４】本実施形態においてジョイント部材をロック片に止着した状態を表わす説明側面断面図である。
【図５】本実施形態のリムロック眼鏡の変形例を表わす説明斜視図である。
【図６】本実施形態のリムロック眼鏡の変形例を表わす説明斜視図である。
【図７】本実施形態のリムロック眼鏡の製造工程を表わす説明斜視図である。
【図８】本実施形態のリムロック眼鏡の製造工程を表わす説明斜視図である。
【図９】本実施形態のリムロック眼鏡の製造工程を表わす説明正面図である。
【図１０】本実施形態のリムロック眼鏡の製造工程を表わす説明斜視図である。
【図１１】本実施形態のリムロック眼鏡の製造工程を表わす説明斜視図である。
【図１２】本実施形態のリムロック眼鏡の製造工程を表わす説明斜視図である。
【符号の説明】
１（１Ａ・１Ｂ）    リム
１１（１１Ａ・１１Ｂ）  ロック端部
１２    凹溝
２      ロック片基材
２Ａ・２Ｂ  ロック片
２１    異形長孔
２１Ａ・２１Ｂ  欠込部
２２    通孔
３      ジョイント部材
３１    フランジ
Ｌ      レンズ
Ｂ      ブリッジ
Ｅ      エンドピース
Ｔ      テンプル
【図１】
2004294794.tif 000003
【図２】
2004294794.tif 000004
【図３】
2004294794.tif 000005
【図４】
2004294794.tif 000006
【図５】
2004294794.tif 000007
【図６】
2004294794.tif 000008
【図７】
2004294794.tif 000009
【図８】
2004294794.tif 000010
【図９】
2004294794.tif 000011
【図１０】
2004294794.tif 000012
【図１１】
2004294794.tif 000013
【図１２】
2004294794.tif 000014